(57)【要約】【課題】建物が水平方向に間隔を置いて隣接する並列建物の少なくとも一方が免震建物である場合に、免震建物に設置された縦樋から放出される雨水を隣接する建物側へ流出させることなく、免震建物内で処理する。【解決手段】少なくとも一方の免震建物１０の、隣接する他方の建物２０、３０側の面に縦樋１４を配置し、縦樋１４の下端部の下方位置の、一方の免震建物１０の外壁１１から対向する他方の建物２０側へ張り出す犬走り１２を形成しながら、外壁１１の面内方向に連続させ、犬走り１２の、対向する他方の建物２０側の端部に立上り部１３を連続して形成し、立上り部１３付きの犬走り１２で、縦樋１４の下端部から放出される雨水を受け、外壁１１の面内方向に排出する排水路を形成する。【選択図】図１
2018204272.tif 000002
【特許請求の範囲】
【請求項１】
水平方向に間隔を置いて隣接する建物の内、少少なくとも一方の建物が免震建物である並列建物間において、
前記少なくとも一方の免震建物の、隣接する他方の建物側の面に縦樋が配置され、この縦樋の下端部の下方位置の、前記一方の免震建物の外壁から対向する前記他方の建物側へ犬走りが張り出しながら、前記外壁の面内方向に連続し、この犬走りの、対向する前記他方の建物側の端部に立上り部が連続して形成され、この立上り部付きの前記犬走りは前記縦樋の下端部から放出される雨水を受け、前記外壁の面内方向に排出する排水路を形成していることを特徴とする免震建物の雨水処理構造。
【請求項２】
前記他方の建物は免震建物であり、この他方の建物の、隣接する一方の免震建物側の面に縦樋が配置され、この縦樋の下端部の下方位置の、前記他方の建物の外壁から対向する前記一方の免震建物側へ犬走りが張り出しながら、前記外壁の面内方向に連続し、この犬走りの、対向する前記一方の免震建物側の端部に立上り部が連続して形成され、この立上り部付きの前記犬走りは前記縦樋の下端部から放出される雨水を受け、前記外壁の面内方向に排出する排水路を形成していることを特徴とする請求項１に記載の免震建物の雨水処理構造。
【請求項３】
前記いずれか一方の免震建物における前記犬走りの前記立上り部の上面と、前記他方の免震建物における前記犬走りの下面との間に段差があることを特徴とする請求項２に記載の免震建物の雨水処理構造。
【発明の詳細な説明】
【技術分野】
【０００１】
本発明は建物が水平方向に間隔を置いて隣接する並列建物の少なくとも一方が免震建物である場合に、免震建物に設置された縦樋から放出される雨水を隣接する建物側へ流出させることなく、免震建物内で処理する免震建物の雨水処理構造に関するものである。
【背景技術】
【０００２】
建物が水平方向に間隔を置いて隣接する並列建物の一方が免震建物である場合に、免震建物の縦樋の下端から放出される雨水を免震建物内で処理するには、縦樋自体、または縦樋の下端部に接続される受け材を、周囲を地盤との間の相対移動に追従可能な構造にする必要がある（特許文献１、２参照）。
【０００３】
一方、縦樋の構造を単純化させようとすれば、縦樋から放出される雨水を他方の、免震構造でない建物に形成した排水溝に排出させることが必要になる（特許文献３参照）。この場合、免震建物側では縦樋を免震建物の外壁と犬走りに沿って配置し、縦樋から放出される雨水を排出するための樋状の排出溝を犬走りに形成すればよい。
【先行技術文献】
【特許文献】
【０００４】
【特許文献１】特開２００３−２７６８２号公報（図１〜図３）
【特許文献２】特開２００３−３０１５７５号公報（図１〜図３）
【特許文献３】特開平１１−２５６８７４号公報（図１〜図４）
【発明の概要】
【発明が解決しようとする課題】
【０００５】
しかしながら、特許文献３では一方の免震建物内で縦樋から放出される雨水を処理することができないため、一方の免震建物を他方の建物に組み合わせることと、他方の建物に排出溝を形成することが必要になっている。
【０００６】
この例では犬走りは他方の建物に形成された最終排出用の排出溝まで張り出して形成されるため、他方の建物の排出溝に、互いの相対移動を許容する状態に支持される必要がある。結果として、隣接する建物が共に免震建物である場合には、相互に排水を依存する関係になり、排水設備の取り合いが複雑化するため、排水が困難か不可能になることが想定される。
【０００７】
本発明は上記背景より、並列建物の少なくとも一方の建物が免震建物である場合に、隣接する他方の建物に排水を依存しない形態の雨水処理構造を提案するものである。
【課題を解決するための手段】
【０００８】
請求項１に記載の免震建物の雨水処理構造は、水平方向に間隔を置いて隣接する建物の内、少なくとも一方の建物が免震建物である並列建物間において、
前記少なくとも一方の免震建物の、隣接する他方の建物側の面に縦樋が配置され、この縦樋の下端部の下方位置の、前記一方の免震建物の外壁から対向する前記他方の建物側へ犬走りが張り出しながら、前記外壁の面内方向に連続し、この犬走りの、対向する前記他方の建物側の端部に立上り部が連続して形成され、この立上り部付きの前記犬走りは前記縦樋の下端部から放出される雨水を受け、前記外壁の面内方向に排出する排水路を形成していることを構成要件とする。
【０００９】
「少なくとも一方の建物が免震建物である」とは、並列建物の内のいずれか一方の建物１０が免震建物である場合と、図１に示すように双方の建物１０、２０（３０）が免震建物である場合（請求項２）があることを言う。請求項１では免震建物を「一方の建物１０」と言い、その建物１０に隣接する建物２０、３０を「他方の建物」と言っているが、「他方の建物２０、３０」も免震建物であることもある（請求項２）。請求項１での「一方」と「他方」は便宜的な区別に過ぎない。
【００１０】
「他方の建物２０、３０」は図５−（ａ）、（ｂ）中、符号２０で示す既存建物２０である場合と、図６−（ａ）、（ｂ）中、符号３０で示すように一方の建物（免震建物）１０に隣接して将来、新設される予定の増築建物３０である場合がある。他方の建物が既存建物２０の場合、一方の建物（免震建物）１０は新設建物として既存建物２０に隣接して構築される。他方の建物が増築建物３０の場合、一方の建物（免震建物）１０を構築するときにはその免震建物１０は図６−（ａ）に示すように他方の建物１０、３０には隣接せずに単独で、独立して構築される。免震建物１０の構築後、他方の建物としての増築建物３０が既存の免震建物１０に隣接して構築される。
【００１１】
「一方の免震建物１０（２０、３０）の、隣接する他方の建物２０、３０（１０）側の面」は一方の建物１０（２０、３０）の内、他方の建物２０、３０（１０）側を向いた外壁面を指す。この外壁面の内、縦樋１４（２４）の下端部の下方位置から他方の建物２０、３０（１０）側へ向けて犬走り１２（２２）が張り出し、外壁１１（２１）の面内方向に連続する。「外壁の面内方向」は建物１０（２０、３０）の桁行方向、またはスパン方向である。外壁１１（２１）はそれに接続する柱１６（２６）を含むこともある。
【００１２】
犬走り１２（２２）の連続する方向は犬走り１２（２２）の長さ方向であり、犬走り１２（２２）が外壁面から張り出す方向は犬走り１２（２２）の幅方向である。犬走り１２（２２）の長さ方向には、少なくとも一部の連続した区間、または全長が雨水の排水路になるため、犬走り１２（２２）の長さ方向の一部から雨水が流出しないよう、立上り部１３（２３）も排水路として使用される犬走り１２（２２）の連続した区間の全長に亘って形成される。立上り部１３（２３）は犬走り１２（２２）の幅方向の先端側から壁状に立ち上がる。
【００１３】
犬走り１２（２２）の上面１２ａ（２２ａ）は外壁面（外壁１１（２１）の内周面１１ａ（２１ａ））に連続し、他方の建物２０、３０（１０）側の端部に形成される立上り部１３（２３）の外壁面側の面（内周面１３ａ（２３ａ））にも連続することで、縦樋１４（２４）下端部から放出される雨水を外壁１１（２１）の面内方向の少なくともいずれかの側へ排出する排水路を形成する。排水路は犬走り１２（２２）の上面１２ａ（２２ａ）と、これに連続する外壁１１（２１）と立上り部１３（２３）の互いに対向する面（犬走り側を向いた内周面１１ａ（２１ａ）、１３ａ（２３ａ））から構成される。
【００１４】
雨水が触れる少なくとも犬走り１２（２２）の上面１２ａ（２２ａ）と、外壁１１（２１）の内周面１１ａ（２１ａ）及び立上り部１３（２３）の内周面１３ａ（２３ａ）である排水路面には雨水の浸透を防止するための何らかの防水処理が施される。防水処理は雨水が直接、接触する表面である排水路面（犬走りの上面、及び外壁と立上り部の互いに対向する内周面）に塗膜防水として施される他、外壁１１（２１）と立上り部１３（２３）付き犬走り１２（２２）の躯体自体に防水コンクリートが使用されることによっても施される。
【００１５】
排水路を構成する排水路面は縦樋１４（２４）の下端部の排出口１４ａ（２４ａ）から放出される雨水を集めながら、外壁１１（２１）の面内方向のいずれか一方側、または両側に向けて排出するため、犬走り１２（２２）の上面１２ａ（２２ａ）には上流側から下流側へかけて下向きの水勾配が付けられる。図２、図３に示すように外壁１１（２１）の面内方向の両側に雨水を排出する場合、犬走り１２（２２）の上面１２ａ（２２ａ）の最も高い位置は外壁面内方向両側を除く面内方向中間部に形成される。犬走り１２（２２）の上面１２ａ（２２ａ）を通じて排出される雨水は縦樋１４（２４）から放出される分と、直接、犬走り１２（２２）上に落下する分が含まれる。
【００１６】
排水路としての犬走り１２（２２）の貯水量は犬走り１２（２２）の幅が大きい程、大きく、縦樋１４（２４）から放出される雨水を受け止め易くなる。一方、犬走り１２（２２）の幅が大きければ、隣接する建物２０、３０（１０）との間に確保すべき距離も大きくなり、隣接する建物１０、２０（３０）を互いに接近させようとすることに制限が掛かる。
【００１７】
このような制限を排除する上では、縦樋１４（２４）の下端部の排出口１４ａ（２４ａ）を図２に示すように犬走り１２（２２）の連続する方向（外壁１１（２１）の面内方向）に向ければ、排出口１４ａ（２４ａ）からの雨水が犬走り１２（２２）の連続する方向に誘導されるため、排出口１４ａ（２４ａ）からの雨水が犬走り１２（２２）から漏れる可能性が低下する上、犬走り１２（２２）を通じた排水が促進される。この結果、縦樋１４（２４）から放出される雨水の受け止め能力を高める目的で犬走り１２（２２）の幅を大きくする必要から解放され、隣接する建物１０、２０（３０）を互いに接近させることが可能になる。また排出口１４ａ（２４ａ）を鉛直方向下方に向ければ、少なくとも犬走り１２（２２）の幅方向への飛散は防止されるため、犬走り１２（２２）の連続する方向に向ける場合と同様の効果が期待される。
【００１８】
以上のように免震建物１０の外壁１１から他方の建物２０（３０）側へ張り出す犬走り１２自体が雨水の排水路として利用されることで、雨水の排水処理上、一方の建物１０である免震建物が他方の建物２０（３０）に依存する関係にはならない。このため、縦樋１４から放出される雨水を他方の建物２０（３０）に流す必要がなくなる結果、他方の建物２０（３０）に排出溝を形成する必要も生じない。免震建物１０内で発生する雨水の処理が他方の建物２０（３０）に依存する関係にはならないことで、隣接する建物１０、２０（３０）が共に免震建物である場合（請求項２）にも、免震建物１０、２０（３０）単位で雨水の排水を処理することができるため、隣接する建物１０、２０（３０）に排水を依存する場合のように排水処理が困難になることはない。
【００１９】
一方の建物（免震建物）１０内で発生する雨水の処理が他方の建物２０（３０）に依存しないことで、一方の免震建物１０と他方の建物２０（３０）の構築時期が相違する場合に、すなわち前記のように他方の建物２０が既存で、免震建物１０が新設で構築される場合に、新設の免震建物１０を他方の既存建物２０に隣接させながら構築しつつも、建物１０、２０毎に雨水を処理できる関係を成立させることが可能である。同様に、図５−（ａ）、（ｂ）に示すように免震建物１０の構築後、将来的に増築建物３０を免震建物１０に隣接させて構築しながらも、増築建物３０が免震建物であるか否かに拘わらず、建物１０、３０毎に雨水を処理できる関係を成立させることも可能になる。
【００２０】
隣接する建物１０、２０（３０）が共に免震建物である場合（請求項２）、各建物１０、２０（３０）の隣接する建物２０（３０）、１０側に犬走り１２、２２が形成され、他方の建物（免震建物）２０、３０（１０）の、隣接する一方の免震建物１０（２０、３０）側の面にも縦樋１４（２４）が配置される。
【００２１】
各建物１０、２０（３０）に形成される犬走り１２、２２の形態は同じであり、各建物１０、２０（３０）における縦樋１４、２４の下端部の下方位置の、他方の建物２０（３０）、１０の外壁２１、１１から対向する一方の免震建物１０、２０（３０）側へ犬走り２２、１２が張り出しながら、外壁２１、１１の面内方向に連続する。犬走り２２、１２の、対向する一方の免震建物１０、２０（３０）側の端部に立上り部２３、１３が連続して形成される。立上り部２３、１３付きの犬走り２２、１２は縦樋２４、１４の下端部から放出される雨水を受け、外壁２１、１１の面内方向に排出する排水路を形成する（請求項２）。
【００２２】
請求項２では互いに対向する外壁面から隣接する建物（免震建物）側へ犬走り１２、２２が張り出すことから、双方の犬走り１２、２２が同一レベル等、少なくとも立上り部１３、２３を含む幅方向の先端部が互いに衝突し合う高さにあれば、上記のように隣接する建物１０、２０を互いに接近させることに制限が生じる。
【００２３】
そこで、請求項２においていずれか一方の免震建物１０（２０、３０）における犬走り１２（２２）の立上り部１３（２３）の上面１３ｂ（２３ｂ）と、他方の免震建物２０、３０（１０）における犬走り２２（１２）の下面２２ｂ（１２ｂ）との間に段差を形成することで（請求項３）、双方の犬走り１２、２２を平面上（平面で見たとき）、重ねる（重複させる）ことができるため、隣接する建物１０、２０（３０）を互いに接近させることが可能になる。
【００２４】
「一方の免震建物の立上り部の上面と、他方の免震建物の犬走りの下面との間に段差を形成する」とは、一方の犬走り１２（２２）の立上り部１３（２３）の上面１３ｂ（２３ｂ）が、他方の犬走り２２（１２）の下面２２ｂ（１２ｂ）の下に位置することを言い、双方の立上り部１３、２３が衝突することなく、双方の犬走り１２、２２が互いに重なり合えることを言う。
【００２５】
双方の犬走り１２、２２が互いに重なり合えることで、一方の犬走り１２（２２）が他方の犬走り２２（１２）の下に潜るように両犬走り１２、２２を組み合わせることができる結果、両免震建物１０、２０（３０）の外壁面を互いに接近させることが可能であるため、敷地面積内での建築面積を最大に確保することが可能になり、敷地を有効に活用することが可能になる。
【００２６】
請求項３では図１に概要を示すように他方の免震建物２０（３０）の立上り部２３の上面２３ｂと、一方の免震建物１０の犬走り１２の下面１２ｂとの間に段差が形成されることで、上記のように隣接する建物１０、２０（３０）の犬走り１２、２２を平面上、重ねることができる。この場合、犬走り１２、２２の立上り部１３、２３の少なくとも一部が犬走り１２、２２の幅方向に重なれば、平面上、重なった領域に落下する雨水を相対的に上側に位置する犬走り１２（２２）が受け止め、排出することができる。
【００２７】
但し、図１に詳しく示すように双方の犬走り１２、２２の立上り部１３、２３が平面上、重ならない場合には、両立上り部１３、２３の外周面１３ｃ、２３ｃ間に空隙が生じるため、この空隙から犬走り１２、２２下の空間内に雨水を落下させることになる。
【００２８】
この犬走り１２、２２下への雨水の落下を回避する上では、図１に示すように上側に位置する犬走り１２（２２）の立上り部１３（２３）の外周面１３ｃ（２３ｃ）に空隙を上方から塞ぐ、犬走り１２の長さ方向に連続する形状等のカバー材１９が固定される。図１ではカバー材１９に山形鋼を使用しているが、カバー材１９の断面形状は問われない。また空隙の閉塞上は、カバー材１９の底面は下側に位置する犬走り２２（１２）の立上り部２３（１３）の上面２３ｂ（１３ｂ）に密着（接触）することが望ましいが、下側に位置する犬走り２２（１２）の立上り部２３（１３）の内周面２３ａ（１３ａ）より外壁２１（１１）側へ張り出す十分な長さがあれば、必ずしも密着する必要はない。
【発明の効果】
【００２９】
少なくとも一方の免震建物の、隣接する他方の建物側の面に配置された縦樋の下端部の下方位置の、一方の免震建物の外壁から対向する他方の建物側へ張り出すように犬走りを形成し、犬走り自体を雨水の排水路として利用するため、雨水の排水処理上、一方の建物である免震建物が他方の建物に依存する関係にはならずに済む。従って縦樋から放出される雨水を他方の建物に流す必要も、他方の建物に排出溝を形成する必要も生じない。
【００３０】
免震建物内で発生する雨水の処理が他方の建物に依存する関係にはならないことで、隣接する建物が共に免震建物である場合にも、免震建物単位で雨水の排水を処理することができるため、排水が困難になることはない。
【００３１】
また免震建物内で発生する雨水の処理が他方の建物に依存しないことで、一方の免震建物と他方の建物の構築時期が相違する場合に、新設の免震建物を他方の建物に隣接させながら構築しつつも、建物毎に雨水を処理できる関係を成立させることができる。
【図面の簡単な説明】
【００３２】
【図１】並列する両建物が免震建物である場合の双方の犬走りの関係を示した縦断面図である。
【図２】図１に示す並列建物の内、一方の免震建物の犬走りの形成例を示した斜視図である。
【図３】並列する建物の配置状態と各建物からの平面上の排水の流れを示した平面図である。
【図４】並列する建物の配置状態と各建物からの立面上の排水の流れを示した立面図である。
【図５】（ａ）、（ｂ）は既存の建物に隣接して一方の免震建物を構築し、更に一方の免震建物に隣接して将来、増築建物を構築する場合の例を示した平面図である。
【図６】（ａ）、（ｂ）は既存の建物が不在の位置に一方の免震建物を構築し、この一方の免震建物に隣接して将来、増築建物を構築する場合の例を示した平面図、（ｃ）は図５−（ａ）に示す（今回増築の）一方の免震建物が既存の建物になり、将来、新設予定の増築建物が一方の免震建物として構築された後、更にこの一方の免震建物に隣接して将来、増築建物を構築する場合の例を示した平面図である。
【発明を実施するための形態】
【００３３】
図１、図２は水平方向に間隔を置いて隣接する建物１０、２０の少なくとも一方が免震建物１０である並列建物間において、少なくとも一方の免震建物１０の、隣接する他方の建物２０側に面する外壁１１から、対向する他方の建物２０側へ犬走り１２が張り出して形成された雨水処理構造の例を示す。犬走り１２は外壁１１の他方の建物２０側の面に配置された縦樋１４の下端部の下方位置の、一方の免震建物１０の外壁１１から対向する他方の建物２０側へ張り出し、外壁１１の面内方向に連続して形成される。
【００３４】
図１は右側の建物が一方の建物としての免震建物１０を、左側の建物が他方の建物２０を示している。図１はまた、左側の建物２０が先行して構築されている既存の建物を、右側の免震建物１０が建物２０に隣接して後から構築された新設の建物を示している。免震建物１０は図１に示すように例えば上部構造の柱１６の下方と基礎１８との間に設置される免震装置１７に上部構造が支持されることにより免震構造化される。
【００３５】
図１は特に他方の建物２０も免震建物である場合の例を示している。他方の建物２０も例えば上部構造の柱２６の下方と基礎２８との間に設置される免震装置２７に上部構造が支持されることにより免震構造化される。図１中、他方の建物２０の犬走り２２の幅方向に連続し、立上り部２３から一方の免震建物１０側へ張り出した部分のハッチングは一方の免震建物１０の構築時に除去されることがあることを示している。
【００３６】
両建物１０、２０が免震建物の場合、他方の建物２０の、隣接する一方の免震建物１０側に面する外壁２１から、対向する一方の免震建物１０側へ張り出して犬走り２２が形成される。この他方の建物２０の犬走り２２も外壁２１の一方の免震建物１０側の面に配置された縦樋２４の下端部の下方位置の、他方の建物２０の外壁２１から対向する一方の免震建物１０側へ張り出し、外壁２１の面内方向に連続して形成される。図面は隣接する建物１０、２０が共に免震建物である場合の例を示しているから、以下では免震建物を単に建物と言う。
【００３７】
犬走り１２、２２は建物１０、２０の各外壁１１、２１から隣接する建物２０、１０側へ、上面１２ａ、２２ａがほぼ水平面をなすように構築され、その幅方向の先端側である隣接する建物２０、１０側の端部から、犬走り１２、２２の上面１２ａ、２２ａと共に排水路を形成する立上り部１３、２３が、犬走り１２、２２に連続し、上方へ向けて形成される。
【００３８】
犬走り１２、２２の上面１２ａ、２２ａとその幅方向両側に連続する立上り部１３、２３の外壁１１、２１側の内周面１３ａ、２３ａ、及び外壁１１、２１の立上り部１３、２３側の内周面１１ａ、２１ａは縦樋１４、２４の下端部の排出口１４ａ、２４ａから落下した雨水を受け止め、犬走り１２、２２の長さ方向に排出する排水路の表面になる。この関係で、犬走り１２、２２の上面１２ａ、２２ａと、立上り部１３、２３の内周面１３ａ、２３ａ、及び外壁１１、２１の内周面１１ａ、２１ａの少なくとも各表面には塗膜防水その他の防水処理が施される。外壁１１、２１の内周面１１ａ、２１ａは柱１６、２６の犬走り１２、２２に面する面を含む。
【００３９】
「少なくとも各表面」とは、犬走り１２、２２の上面１２ａ、２２ａ等の少なくとも表面（表層）部分に塗膜防水等が施されることを言い、犬走り１２、２２の上面１２ａ、２２ａ等に沿って防水シートが敷設されることの他、立上り部１３、２３を含む犬走り１２、２２自体が防水性のあるコンクリート等で構築されることを含む。
【００４０】
また犬走り１２、２２の上面１２ａ、２２ａには、この上面１２ａ、２２ａの最上位置になる犬走り１２、２２の長さ方向の一方の端部から、最下位置になる他方の端部へかけて、または最上位置になる長さ方向の中間部から、最下位置になる長さ方向の両端部側へかけ、下方へ傾斜する水勾配が付けられる。犬走り１２、２２の上面１２ａ、２２ａは犬走り１２、２２の幅方向には必ずしも傾斜する必要はないが、図１では上面１２ａ、２２ａを外壁１１、２１側から立上り部１３、２３側へかけて下向きに傾斜させ、上面１２ａ、２２ａに幅方向にも水勾配を付けている。
【００４１】
各建物１０、２０の屋根、または屋根スラブ上に落下した雨水は主に図３、４に示すように各建物１０、２０の平面上の周囲に配置された縦樋を通じ、分散させられて地上、または地上付近まで導かれる。各建物１０、２０が互いに対向する外壁面１１、２１側においては各建物１０、２０の外壁面１１、２１に沿って配置された縦樋１４、２４を通じて地上、または地上付近に形成された犬走り１２、２２上に導かれた後、犬走り１２、２２を通じてその長さ方向片側、または両側へ排出される。
【００４２】
図３では犬走り１２、２２の長さ方向両側に雨水を排出する様子を示しているが、片側に排出する場合もある。縦樋１４、２４を外壁１１、２１に拘束する支持具１５、２５は外壁１１、２１に固定される場合もあるが、図１、図２では外壁１１、２１から屋外側へ突出した柱１６、２６に支持具１５、２５を固定している。
【００４３】
縦樋１４、２４の下端部の排出口１４ａ、２４ａから落下した雨水は犬走り１２、２２の上面１２ａ、２２ａに受け止められ、そのまま水勾配に従って下流側へ排出される。排出口１４ａ、２４ａが鉛直方向下方を向く場合と、図１、図２に示すように水平方向を向く場合のいずれも、排出口１４ａ、２４ａから落下した雨水の犬走り１２、２２の上面１２ａ、２２ａでの跳ね返りを抑える上では、排出口１４ａ、２４ａは犬走り１２、２２の上面１２ａ、２２ａに近い位置に配置されることが適切である。
【００４４】
排出口１４ａ、２４ａが図１、図２に示すように水平方向を向く場合、雨水は犬走り１２、２２の上面１２ａ、２２ａに受け止められるまでの間、放物線を描き、排出口１４ａ、２４ａから上面１２ａ、２２ａまでの間に水平方向に飛び出そうとする。このため、排出口１４ａ、２４ａから落下した雨水が犬走り１２、２２の立上り部１３、２３を飛び越えないようにする上では、図示するように排出口１４ａ、２４ａを犬走り１２、２２の長さ方向の排水側（下流側）に向けることが適切である。
【００４５】
図１に示すように両建物１０、２０が共に免震建物である場合、双方の対向する外壁１１、２１から張り出す犬走り１２、２２の内、いずれか下方側に位置する犬走り２２（１２）の立上り部２３（１３）が対向する側の立上り部１３（２３）、または犬走り１２（２２）に接触（衝突）しないようにするには、いずれか一方の建物１０（２０）の立上り部１３（２３）の上面１３ｂ（２３ｂ）と、他方の建物２０（１０）の犬走り２２（１２）の下面２２ｂ（１２ｂ）との間に段差を付けることが合理的である。
【００４６】
図１は左側（他方）の建物２０の立上り部２３の上面２３ｂと、右側（一方）の建物１０の犬走り１２の下面１２ｂとの間に段差を付けた場合の例を示しているが、逆の場合もある。図１に示す例ではいずれか他方の建物２０の立上り部２３が一方の建物１０の立上り部１３より建物２０の外壁２１側に位置しているが、立上り部２３の上面２３ｂと犬走り１２の下面１２ｂとの間への段差の形成により他方の建物２０の立上り部２３を一方の建物１０の犬走り１２の下側に潜り込ませることもできる。
【００４７】
図１に示すように両建物１０、２０が共に免震建物である場合には、地震時等に両外壁１１、２１が互いに接近する向きに相対変位することもある。このことから、立上り部２３（１３）の上面２３ｂ（１３ｂ）と犬走り１２（２２）の下面１２ｂ（２２ｂ）との間に段差を形成した場合には、図示するようにいずれか他方の立上り部２３（１３）が一方の立上り部１３（２３）より他方の建物２０（１０）の外壁２１（１１）側に位置しているか、他方の立上り部２３（１３）が一方の犬走り１２（２２）の下側に潜り込んでいるかに拘わらず、両外壁１１、２１が互いに接近する向きに相対変位したときに、他方の建物２０の立上り部２３と、一方の建物１０の立上り部１３との衝突を回避することができる。
【００４８】
ここで、他方の立上り部２３（１３）が一方の犬走り１２（２２）の下側に潜り込んでいる場合には、平面上、犬走り１２、２２の立上り部１３、２３の少なくとも一部が犬走り１２、２２の幅方向に重なった状態になるため、この重なった領域に落下する雨水を図１において上側に位置する立上り部１３を含む犬走り１２の上面１２ａが受け止め、下流側へ排出することができる。
【００４９】
但し、図１では双方の犬走り１２、２２の立上り部１３、２３が平面上、重ならず、立上り部１３、２３の外周面１３ｃ、２３ｃ間に空隙が生じた状態にあるため、外周面１３ｃ、２３ｃ間の空隙への雨水の落下を回避する目的で、上側に位置する犬走り１２の立上り部１３の外周面１３ｃに、立上り部２３との間の空隙を上方から塞ぐカバー材１９をボルトや接着剤等の手段により固定している。カバー材１９は犬走り１２の長さ方向に連続した形状をするか、連続的に配置される。
【００５０】
図１に示すカバー材１９の設置例の場合、立上り部１３、２３の外周面１３ｃ、２３ｃ間に落下する雨水はカバー材１９に受け止められた後、下側に位置する犬走り２２の上面２２ａに受け止められ、下流側へ排出される。カバー材１９の底面は下側に位置する犬走り２２の立上り部２３の上面２３ｂに密着する場合と密着しない場合がある。またカバー材１９の幅方向の犬走り２２側の先端は立上り部２３の上面２２ａ上に位置する場合と内周面２３ａから外壁２１側へ張り出す場合がある。
【００５１】
図５−（ａ）は既存の他方の建物２０の（スパン方向）片側に隣接して一方の免震建物１０を構築したときの様子を、（ｂ）は既存の他方の建物２０の（スパン方向）両側に隣接して一方の免震建物１０、１０を構築したときの様子を示す。いずれの場合も、二点鎖線で示すように一方の免震建物１０の片側には将来的に増築建物３０を新たに構築することが可能である。（他方の）既存建物２０と増築建物３０の一方、または双方が免震建物であることもある。
【００５２】
図６−（ａ）、（ｂ）は既存の建物２０とは無関係に一方の免震建物１０を独立して構築したときの様子を示し、将来的にこの一方の免震建物１０が既存建物２０としてその片側、または両側に増築建物３０を新たに構築することを想定した場合の、一方の免震建物１０と他方の建物である増築建物３０の関係を示す。（ｃ）は図５−（ａ）における増築建物３０が完成した後、更に将来的にこの増築建物３０が既存建物２０としてその片側に増築建物３０を新たに構築することを想定した場合の、一方の免震建物１０と他方の建物である増築建物３０の関係を示す。
【符号の説明】
【００５３】
１０……免震建物、
１１……外壁、１１ａ……内周面、
１２……犬走り、１２ａ……上面、１２ｂ……下面、
１３……立上り部、１３ａ……内周面、１３ｂ……上面、１３ｃ……外周面、
１４……縦樋、１４ａ……排出口、１５……支持具、
１６……柱、１７……免震装置、１８……基礎、
１９……カバー材、
２０……他方の建物（既存建物）、
２１……外壁、２１ａ……内周面、
２２……犬走り、２２ａ……上面、２２ｂ……下面、
２３……立上り部、２３ａ……内周面、２３ｂ……上面、２３ｃ……外周面、
２４……縦樋、２４ａ……排出口、２５……支持具、
２６……柱、２７……免震装置、２８……基礎、
３０……他方の建物（増築建物）。
【図１】
2018204272.tif 000003
【図２】
2018204272.tif 000004
【図３】
2018204272.tif 000005
【図４】
2018204272.tif 000006
【図５】
2018204272.tif 000007
【図６】
2018204272.tif 000008